(57)【要約】【課題】回線接続後に発呼者番号が複数回送信されてくる場合に確実に発呼者番号を検知することができる電話装置を提供することを目的とする。【解決手段】コーラＩＤデータ検知部とＲＡＭと制御部とを有し、制御部１１１は、回線接続後の経過時間が所定時間を越えたか否かを判定する経時判定手段１１１１と、所定時間以内のときには受信した発呼者番号をＲＡＭに格納する電話番号格納手段１１１２と、所定時間を越えたときにはＲＡＭ格納の発呼者番号の最後尾に最も近いスタートコードを検知するスタートコード検知手段１１１３と、ＲＡＭ格納の発呼者番号のパターンの種別を判定するパターン判定手段１１１４と、パターンの種別に応じてＲＡＭ格納の発呼者番号のスクロールを行うスクロール手段１１１５と、スクロールした発呼者番号を整列して記憶する電話番号整列記憶手段１１１６とを有する。【選択図】図２
2005151221.tif 000002
【特許請求の範囲】
【請求項１】
スタートコードを含む所定桁の発呼者番号等のコーラＩＤデータを検知するコーラＩＤデータ検知部と、各種データを記憶するＲＡＭと、全体を制御する制御部とを有する電話装置であって、
前記制御部は、回線接続後の経過時間が所定時間を越えたか否かを判定する経時判定手段と、前記経時判定手段において前記経過時間が前記所定時間以内であると判定したときには受信した前記発呼者番号を前記ＲＡＭに格納する電話番号格納手段と、前記経時判定手段において前記経過時間が前記所定時間を越えたと判定したときには前記ＲＡＭに格納した前記発呼者番号の最後尾に最も近い前記スタートコードを検知するスタートコード検知手段と、前記ＲＡＭに格納した前記発呼者番号のパターンの種別を判定するパターン判定手段と、前記パターン判定手段において判定したパターンの種別に応じて前記ＲＡＭに格納した前記発呼者番号のスクロールを行うスクロール手段と、前記スクロールした発呼者番号を整列して記憶する電話番号整列記憶手段とを有することを特徴とする電話装置。
【請求項２】
前記スタートコード検知手段においてスタートコードを検知しなかったときにはエラー表示を行うエラー表示手段を備えたことを特徴とする請求項１に記載の電話装置。
【請求項３】
前記パターン判定手段は、前記検知したスタートコード以後に前記所定桁の受信データがある場合には前記発呼者番号のパターンは第１のパターンであると判定し、前記検知したスタートコード以後に前記所定桁の受信データがなく且つ前記検知したスタートコードの前に受信データがある場合には前記発呼者番号のパターンは第２のパターンであると判定し、前記検知したスタートコード以後に受信データがなく且つ前記検知したスタートコードの前に受信データがある場合には前記発呼者番号のパターンは第３のパターンであると判定することを特徴とする請求項２または３に記載の電話装置。
【請求項４】
前記スクロール手段は、前記発呼者番号のパターンが第２および第３のパターンであるときにスクロールを行うことを特徴とする請求項３に記載の電話装置。
【発明の詳細な説明】
【技術分野】
【０００１】
本発明は、スタートコードを含む所定桁の発呼者番号等のコーラＩＤデータを検知することが可能な電話装置に関する。
【背景技術】
【０００２】
従来、米国等においては、発呼者の電話番号（発呼者番号）の検知は、ベル信号の間（ベル停止期間）に送信されてくる１つの変調信号に含まれる発呼者番号を検知することにより行われていた。このことは例えば（特許文献１）に記載されている。
【０００３】
この技術をロシア連邦に適用した場合は、ロシア連邦においては回線接続された後に発呼者番号が送信されてくることから、回線電流が一気に流れるため、回線電圧の変動が激しく、電話局の交換機のメカスイッチのチャタリング等が発生するという不具合がある。また、回線電圧の変動やメカスイッチのチャタリングが安定するまでには数十〜数百ミリ秒（ｍｓ）の時間を要する。このことから、（特許文献１）に記載されたような技術をロシア連邦に適用した場合には発呼者番号を誤検知する可能性がある。
【０００４】
図６は、従来の電話装置の動作を示すフローチャートである。
【０００５】
図６において、まず、電話番号を１デジット（ｄｉｇｉｔ）受信したか否かを判定し（Ｓ２１）、受信したと判定したときには受信した１デジットの電話番号をＲＡＭ内のデータ受信バッファに格納し（Ｓ２２）、受信した電話番号データ（１デジットの電話番号）が規定個数と一致したか否かを判定し（Ｓ２３）、規定個数と一致しない場合はステップＳ２１へ移行し、一致した場合はデータ受信バッファに格納した電話番号をスタートコード（Ｓｔａｒｔ  Ｃｏｄｅ）が先頭桁になるまでスクロールし（Ｓ２４）、スクロールした電話番号の前後を入れ替えてＥＥＰＲＯＭに格納する（Ｓ２５）。
【０００６】
図７は、従来の電話装置におけるデータフォーマットを示すフォーマット図であり、“１２３−４５６７”の電話番号を示す。図７の各ステップ番号は図６の各ステップ番号に対応する。図７に示すように、電話番号は“３２１ＳＣ７６５４３２１”と逆の順で電話装置に入力される。Ｓはスタートコードを示し、Ｃはカテゴリーを示す。しかし、上述したように、回線接続された後に発呼者番号が送信されるロシア連邦においては、回線接続直後の回線電圧変動等のために電話番号が安定するまで時間を要するため、図７に示すように、先頭桁のデジット“３”が“９”と誤検知される場合があり、ＥＥＰＲＯＭには“１２９−４５６７”というように間違った電話番号が記憶されることになる。
【特許文献１】特開平７−２０３００６号公報
【発明の開示】
【発明が解決しようとする課題】
【０００７】
このように、米国等で用いられている発呼者番号の検知技術をロシア連邦に適用した場合には発呼者番号の誤検知を生じる可能性があるという問題点を有していた。
【０００８】
ところで、ロシア連邦においては、回線接続された後に送信される発呼者番号は１つ以上であり、複数回である場合が多い。
【０００９】
この電話装置では、ロシア連邦におけるように回線接続後に発呼者番号が複数回送信されてくる場合に確実に発呼者番号を検知することが要求されている。
【００１０】
本発明は、この要求を満たすため、回線接続後に発呼者番号が複数回送信されてくる場合に確実に発呼者番号を検知することができる電話装置を提供することを目的とする。
【課題を解決するための手段】
【００１１】
この課題を達成するために本発明の電話装置は、スタートコードを含む所定桁の発呼者番号等のコーラＩＤデータを検知するコーラＩＤデータ検知部と、各種データを記憶するＲＡＭと、全体を制御する制御部とを有する電話装置であって、制御部は、回線接続後の経過時間が所定時間を越えたか否かを判定する経時判定手段と、経時判定手段において経過時間が所定時間以内であると判定したときには受信した発呼者番号をＲＡＭに格納する電話番号格納手段と、経時判定手段において経過時間が所定時間を越えたと判定したときにはＲＡＭに格納した発呼者番号の最後尾に最も近いスタートコードを検知するスタートコード検知手段と、ＲＡＭに格納した発呼者番号のパターンの種別を判定するパターン判定手段と、パターン判定手段において判定したパターンの種別に応じてＲＡＭに格納した発呼者番号のスクロールを行うスクロール手段と、スクロールした発呼者番号を整列して記憶する電話番号整列記憶手段とを有する構成を備えている。
【００１２】
これにより、回線接続後に発呼者番号が複数回送信されてくる場合に確実に発呼者番号を検知することができる電話装置が得られる。
【発明の効果】
【００１３】
本発明の電話装置は、スタートコードを含む所定桁の発呼者番号等のコーラＩＤデータを検知するコーラＩＤデータ検知部と、各種データを記憶するＲＡＭと、全体を制御する制御部とを有する電話装置であって、制御部は、回線接続後の経過時間が所定時間を越えたか否かを判定する経時判定手段と、経時判定手段において経過時間が所定時間以内であると判定したときには受信した発呼者番号をＲＡＭに格納する電話番号格納手段と、経時判定手段において経過時間が所定時間を越えたと判定したときにはＲＡＭに格納した発呼者番号の最後尾に最も近いスタートコードを検知するスタートコード検知手段と、ＲＡＭに格納した発呼者番号のパターンの種別を判定するパターン判定手段と、パターン判定手段において判定したパターンの種別に応じてＲＡＭに格納した発呼者番号のスクロールを行うスクロール手段と、スクロールした発呼者番号を整列して記憶する電話番号整列記憶手段とを有することにより、経過時間が所定時間を越えたと判定したとき（すなわち回線安定状態であると判定したとき）にはＲＡＭに格納した発呼者番号の最後尾に最も近いスタートコードを検知してその後の番号またはその前後の番号あるいはその前の番号を発呼者番号として検出することができるので、最も安定した回線状態における発呼者番号を検出することができ、回線接続後に発呼者番号が複数回送信されてくる場合に確実に発呼者番号を検知することができるという有利な効果が得られる。
【００１４】
さらに、スタートコード検知手段においてスタートコードを検知しなかったときにはエラー表示を行うエラー表示手段を備えたことにより、回線接続後の回線状態が不安定でスタートコードも検知されないような場合においては発呼者番号の検知不可であると判定してエラー表示を行うことができるという有利な効果が得られる。
【００１５】
さらに、パターン判定手段は、検知したスタートコード以後に所定桁の受信データがある場合には発呼者番号のパターンは第１のパターンであると判定し、検知したスタートコード以後に所定桁の受信データがなく且つ検知したスタートコードの前に受信データがある場合には発呼者番号のパターンは第２のパターンであると判定し、検知したスタートコード以後に受信データがなく且つ検知したスタートコードの前に受信データがある場合には発呼者番号のパターンは第３のパターンであると判定することにより、第１〜第３のパターンに応じた処理を行うことができ、例えば第１のパターンの場合にはスタートコード以後のデータを発呼者番号として採用し、第２のパターンの場合にはスタートコード前後
のデータを発呼者番号として採用、第３のパターンの場合にはスタートコード前のデータを発呼者番号として採用するようにすることができるので、検出したデータ状態にかかわらず発呼者番号をパターンに応じた安定度で検出することができるという有利な効果が得られる。
【００１６】
さらに、スクロール手段は、発呼者番号のパターンが第２および第３のパターンであるときにスクロールを行うことにより、発呼者番号を確実に検出することができるという有利な効果が得られる。
【発明を実施するための最良の形態】
【００１７】
本発明は、回線接続後に発呼者番号が複数回送信されてくる場合に確実に発呼者番号を検知するという目的を、回線接続直後の発呼者番号を検出せず、回線接続して相当の時間が経過した回線安定状態における電話番号を検知することにより実現した。
【００１８】
上記課題を解決するためになされた第１の発明は、スタートコードを含む所定桁の発呼者番号等のコーラＩＤデータを検知するコーラＩＤデータ検知部と、各種データを記憶するＲＡＭと、全体を制御する制御部とを有する電話装置であって、制御部は、回線接続後の経過時間が所定時間を越えたか否かを判定する経時判定手段と、経時判定手段において経過時間が所定時間以内であると判定したときには受信した発呼者番号をＲＡＭに格納する電話番号格納手段と、経時判定手段において経過時間が所定時間を越えたと判定したときにはＲＡＭに格納した発呼者番号の最後尾に最も近いスタートコードを検知するスタートコード検知手段と、ＲＡＭに格納した発呼者番号のパターンの種別を判定するパターン判定手段と、パターン判定手段において判定したパターンの種別に応じてＲＡＭに格納した発呼者番号のスクロールを行うスクロール手段と、スクロールした発呼者番号を整列して記憶する電話番号整列記憶手段とを有することとしたものであり、経過時間が所定時間を越えたと判定したとき（すなわち回線安定状態であると判定したとき）にはＲＡＭに格納した発呼者番号の最後尾に最も近いスタートコードを検知してその後の番号またはその前後の番号あるいはその前の番号を発呼者番号として検出することができるので、最も安定した回線状態における発呼者番号を検出することができ、回線接続後に発呼者番号が複数回送信されてくる場合に確実に発呼者番号を検知することができるという作用・効果を有する。
【００１９】
上記課題を解決するためになされた第２の発明は、スタートコード検知手段においてスタートコードを検知しなかったときにはエラー表示を行うエラー表示手段を備えることとしたものであり、回線接続後の回線状態が不安定でスタートコードも検知されないような場合においては発呼者番号の検知不可であると判定してエラー表示を行うことができるという作用・効果を有する。
【００２０】
上記課題を解決するためになされた第３の発明は、パターン判定手段は、検知したスタートコード以後に所定桁の受信データがある場合には発呼者番号のパターンは第１のパターンであると判定し、検知したスタートコード以後に所定桁の受信データがなく且つ検知したスタートコードの前に受信データがある場合には発呼者番号のパターンは第２のパターンであると判定し、検知したスタートコード以後に受信データがなく且つ検知したスタートコードの前に受信データがある場合には発呼者番号のパターンは第３のパターンであると判定することとしたものであり、第１〜第３のパターンに応じた処理を行うことができ、例えば第１のパターンの場合にはスタートコード以後のデータを発呼者番号として採用し、第２のパターンの場合にはスタートコード前後のデータを発呼者番号として採用、第３のパターンの場合にはスタートコード前のデータを発呼者番号として採用するようにすることができるので、検出したデータ状態にかかわらず発呼者番号をパターンに応じた安定度で検出することができるという作用・効果を有する。
【００２１】
上記課題を解決するためになされた第４の発明は、スクロール手段は、発呼者番号のパターンが第２および第３のパターンであるときにスクロールを行うこととしたものであり、発呼者番号を確実に検出することができるという作用・効果を有する。
【００２２】
（実施の形態１）
図１（ａ）は一般的な電話装置を構成する親機を示すブロック図であり、図１（ｂ）は一般的な電話装置を構成する子機を示すブロック図である。
【００２３】
図１において、１は親機、２は子機、３は交換機を有する電話局、１１は全体を制御する制御部１１１と受信したデータを一旦記憶するデータ受信バッファ１１３を有するＲＡＭ１１２とを有するＣＰＵ、１２はスタートコードを含む所定桁の発呼者番号等のコーラＩＤデータを検知するコーラＩＤデータ検知部、１３は電話回線と接続するための回線インタフェース部、１４は外線や子機２との通話を行うための通話回路部、１５は子機２へデータを送信する送信部、１６は子機２からのデータを受信する受信部、１７は送受信のためのアンテナ、１８はＲＯＭ、１９は文字や数字の入力や表示を行う操作部、２０は外部記憶装置としてＥＥＰＲＯＭ、２１は全体を制御する制御部２１１とＲＡＭ２１２とＲＯＭ２１３とを有するＣＰＵ、２２は親機１へデータを送信する送信部、２３は親機１からのデータを受信する受信部、２４は送受信のためのアンテナ、２５は文字や数字を表示する表示部としてのＬＣＤ、２６は文字や数字の入力や表示を行う操作部、２７は外部記憶装置（例えばＥＥＰＲＯＭ）である。
【００２４】
図２は、本発明の実施の形態１による電話装置を構成する親機１の制御部１１１における機能実現手段（ソフトウェアにより所定の機能を実現した手段）を示す機能ブロック図である。
【００２５】
図２において、１１１１は回線接続後の経過時間が所定時間を越えたか否かを判定する経時判定手段、１１１２は経時判定手段１１１１において経過時間が所定時間以内であると判定したときに受信した発呼者番号をＲＡＭ１１２（ここではデータ受信バッファ１１３）に格納する電話番号格納手段、１１１３は経時判定手段１１１１において経過時間が所定時間を越えたと判定したときにはＲＡＭ１１２に格納した発呼者番号の最後尾に最も近いスタートコードを検知するスタートコード検知手段、１１１４は電話番号格納手段に格納した発呼者番号のパターンの種別を判定するパターン判定手段、１１１５はパターン判定手段１１１４において判定したパターンの種別に応じてＲＡＭ１１２に格納した発呼者番号のスクロールを行うスクロール手段、１１１６はスクロールした発呼者番号を整列して記憶する電話番号整列記憶手段、１１１７はスタートコード検知手段１１１３においてスタートコードを検知しなかったときにはエラー表示を行うエラー表示手段である。
【００２６】
このように構成された電話装置について、その動作を図３〜図５を用いて説明する。図３は図２の制御部１１１の動作を示すフローチャートであり、図４（ａ）は電話局３からの送信データに含まれる発呼者番号を示すデータ図、図４（ｂ）は発呼者番号を受信している途中を示すデータ図、図４（ｃ）は電話装置でのオフフックにより回線が接続した後の経過時間が所定時間を越えたとき（タイマカウントがタイムアウトしたとき）の受信発呼者番号を示すデータ図、図４（ｄ）は抽出した所定桁（ここでは９桁）のデータを示すデータ図、図４（ｅ）は図４（ｄ）のデータをスクロールしたときの発呼者番号を示すデータ図、図４（ｆ）は整列した発呼者番号を示すデータ図、図５（ａ）はパターンＡ（第１のパターン）の発呼者番号を示すデータ図、図５（ｂ）はパターンＢ（第２のパターン）の発呼者番号を示すデータ図、図５（ｃ）はパターンＣ（第３のパターン）の発呼者番号を示すデータ図である。
【００２７】
図５において、まず、回線安定待ちタイマをスタートさせる（Ｓ１）。次に、経過判定手段１１１１は回線安定待ちタイマのカウント値（経過時間）が所定時間を越えたことを示すタイムアウト状態か否かを判定し（Ｓ２）、タイムアウト状態でないと判定したときには電話番号格納手段１１１２は発呼者番号（電話番号）を１デジット（ｄｉｇｉｔ）受信したか否かを判定し（Ｓ３）、受信したと判定したときには受信した１デジットの電話番号をＲＡＭ１１２内のデータ受信バッファ１１３に格納し（Ｓ４）、受信していないと判定したときにはステップＳ２へ戻る。
【００２８】
ステップＳ２においてタイムアウト状態であると判定したときにはスタートコード検知手段１１１３はデータ受信バッファ１１３に格納した発呼者番号の最後尾からスタートコードを検知する（Ｓ５）。図４（ａ）に示す電話局からの発呼者番号は図４（ｂ）に示すように１デジットずつデータ受信バッファ１１３に格納され、タイマカウントのタイムアウトにより図４（ｃ）に示す発呼者番号となる。図４（ｃ）に示す発呼者番号がデータ受信バッファ１１３に格納されたものである。図４（ａ）〜（ｃ）は最初の桁の番号が“９”と誤検知された場合を示す。
【００２９】
次に、スタートコード検知手段１１１３はスタートコードの有無を判定し（Ｓ６）、スタートコード有りと判定したときには次にパターン判定手段１１１４は、スタートコードの後に受信データが有るか否かを判定し（Ｓ７）、有ると判定したときには次にスタートコードの後に所定桁（９桁）のデータが有るか否かを判定し（Ｓ８）、有ると判定したときにはスタートコードの後の所定桁のデータを発呼者番号であると判定する（Ｓ９）。これが第１のパターンの発呼者番号（図５（ａ）参照）である。
【００３０】
ステップＳ７でスタートコードの後に受信データが有ると判定し、ステップＳ８でスタートコードの後に所定桁（９桁）のデータが無いと判定した場合には、スタートコードの前に受信データがあるか否かを判定し（Ｓ１０）、有ると判定したときには次にスタートコードの前後で所定桁を確保できるか否かを判定し（Ｓ１１）、所定桁を確保できる場合には確保した所定桁のデータを発呼者番号であると判定する（Ｓ１２）。これが第２のパターンの発呼者番号（図５（ｂ）参照）である。ステップＳ１０でスタートコードの前に受信データが無いと判定するか又はステップＳ１１でスタートコードの前後で所定桁を確保できないと判定したときにはデータ受信バッファ１１３に格納された全てのデータについて検知終了したか否かを判定し（Ｓ１６）、検知終了していればステップＳ５へ戻る。
【００３１】
ステップＳ７でスタートコードの後に受信データが無いと判定した場合は次にスタートコードの前に受信データがあるか否かを判定し（Ｓ１３）、あると判定したときには次にスタートコードの前に所定桁の受信データがあるか否かを判定し（Ｓ１４）、所定桁の受信データがあると判定したときには受信データから所定桁のデータ（スタートコードを含むデータ）を抽出して発呼者番号とする（Ｓ１５）。これが第３のパターンの発呼者番号（図５（ｃ）参照）である。ステップＳ１３でスタートコードの前に受信データが無いと判定するか又はステップＳ１４でスタートコードの前に所定桁の受信データが無いと判定したときにはデータ受信バッファ１１３に格納された全てのデータについて検知終了したか否かを判定し（Ｓ１６）、検知終了していればステップＳ５へ戻る。
【００３２】
ステップＳ９、Ｓ１２、Ｓ１５で９桁（所定桁）抽出した後（図４（ｄ）はスタートコードＳの前後の９桁を抽出した場合を示す）、スクロール手段１１１５は図４（ｅ）に示すようにスタートコードＳおよびカテゴリーコードＣが先頭に来るように抽出した受信データ（すなわち発呼者番号）に対してスクロールを行う（Ｓ１７）。次に、電話番号整列記憶手段１１１６は、スクロールした発呼者番号は前後が逆であるので、整列して（前後を逆にして）ＥＥＰＲＯＭ２０に格納する（Ｓ１８）。ＥＥＰＲＯＭ２０に格納された発呼者番号においては誤検知された最初の桁の“９”は使用されない。
【００３３】
ステップＳ１６でデータ受信バッファ１１３に格納された全てのデータについて検知してもスタートコードを検知しなかった場合には表示手段１１１７は操作部１９またはＬＣＤ２５にエラーを表示する（Ｓ１９）。
【００３４】
以上のように本実施の形態によれば、回線接続後の経過時間が所定時間を越えたか否かを判定する経時判定手段１１１１と、経時判定手段１１１１において経過時間が所定時間以内であると判定したときには受信した発呼者番号をＲＡＭ１１２に格納する電話番号格納手段１１１２と、経時判定手段１１１１において経過時間が所定時間を越えたと判定したときにはＲＡＭ１１２に格納した発呼者番号の最後尾に最も近いスタートコードを検知するスタートコード検知手段１１１３と、ＲＡＭ１１２に格納した発呼者番号のパターンの種別を判定するパターン判定手段１１１４と、パターン判定手段において判定したパターンの種別に応じてＲＡＭ１１２に格納した発呼者番号のスクロールを行うスクロール手段１１１５と、スクロールした発呼者番号を整列して記憶する電話番号整列記憶手段１１１６とを有することにより、経過時間が所定時間を越えたと判定したとき（すなわち回線安定状態であると判定したとき）にはＲＡＭ１１２に格納した発呼者番号の最後尾に最も近いスタートコードを検知してその後の番号またはその前後の番号あるいはその前の番号を発呼者番号として検出することができるので、最も安定した回線状態における発呼者番号を検出することができ、回線接続後に発呼者番号が複数回送信されてくる場合に確実に発呼者番号を検知することができる。
【００３５】
さらに、スタートコード検知手段１１１３においてスタートコードを検知しなかったときにはエラー表示を行う表示手段１１１７を備えたことにより、回線接続後の回線状態が不安定でスタートコードも検知されないような場合においては発呼者番号の検知不可であると判定してエラー表示を行うことができる。
【００３６】
さらに、パターン判定手段１１１４は、検知したスタートコード以後に所定桁の受信データがある場合には発呼者番号のパターンは第１のパターンであると判定し、検知したスタートコード以後に所定桁の受信データがなく且つ検知したスタートコードの前に受信データがある場合には発呼者番号のパターンは第２のパターンであると判定し、検知したスタートコード以後に受信データがなく且つ検知したスタートコードの前に受信データがある場合には発呼者番号のパターンは第３のパターンであると判定することにより、第１〜第３のパターンに応じた処理を行うことができ、例えば第１のパターンの場合にはスタートコード以後のデータを発呼者番号として採用し、第２のパターンの場合にはスタートコード前後のデータを発呼者番号として採用、第３のパターンの場合にはスタートコード前のデータを発呼者番号として採用するようにすることができるので、検出したデータ状態にかかわらず発呼者番号をパターンに応じた安定度で検出することができる。
【００３７】
さらに、スクロール手段１１１５は、発呼者番号のパターンが第２および第３のパターンであるときにスクロールを行うことにより、発呼者番号を確実に検出することができる。
【産業上の利用可能性】
【００３８】
本発明は、スタートコードを含む所定桁の発呼者番号等のコーラＩＤデータを検知することが可能な電話装置に関し、回線接続後に発呼者番号が複数回送信されてくる場合に確実に発呼者番号を検知することができる。
【図面の簡単な説明】
【００３９】
【図１】（ａ）一般的な電話装置を構成する親機を示すブロック図、（ｂ）一般的な電話装置を構成する子機を示すブロック図
【図２】本発明の実施の形態１による電話装置を構成する親機の制御部における機能実現手段を示す機能ブロック図
【図３】図２の制御部の動作を示すフローチャート
【図４】（ａ）電話局からの送信データに含まれる発呼者番号を示すデータ図、（ｂ）発呼者番号を受信している途中を示すデータ図、（ｃ）電話装置でのオフフックにより回線が接続した後の経過時間が所定時間を越えたときの受信発呼者番号を示すデータ図、（ｄ）抽出した所定桁のデータを示すデータ図、（ｅ）（ｄ）のデータをスクロールしたときの発呼者番号を示すデータ図、（ｆ）整列した発呼者番号を示すデータ図
【図５】（ａ）第１のパターンの発呼者番号を示すデータ図、（ｂ）第２のパターンの発呼者番号を示すデータ図、（ｃ）第３のパターンの発呼者番号を示すデータ図
【図６】従来の電話装置の動作を示すフローチャート
【図７】従来の電話装置におけるデータフォーマットを示すフォーマット図
【符号の説明】
【００４０】
１    親機
２    子機
３    電話局
１１、２１    ＣＰＵ
１２    コーラＩＤデータ検知部
１３    回線インタフェース部
１４    通話回路部
１５、２２    送信部
１６、２３    受信部
１７、２４    アンテナ
１８、２１３    ＲＯＭ
１９、２６    操作部
２０、２７    外部記憶装置（ＥＥＰＲＯＭ）
２５    ＬＣＤ
１１１、２１１    制御部
１１２、２１２    ＲＡＭ
１１１１    経時判定手段
１１１２    電話番号格納手段
１１１３    スタートコード検知手段
１１１４    パターン判定手段
１１１５    スクロール手段
１１１６    電話番号整列記憶手段
１１１７    表示手段
【図１】
2005151221.tif 000003
【図２】
2005151221.tif 000004
【図３】
2005151221.tif 000005
【図４】
2005151221.tif 000006
【図５】
2005151221.tif 000007
【図６】
2005151221.tif 000008
【図７】
2005151221.tif 000009